(57)【要約】      （修正有）【課題】システムの設定変更後に問題が発生した場合に、早期にシステムの復旧を行う。【解決手段】複数設けられることでシステムを構成し、エンジニアリング装置により設定情報が変更される際にオフラインに移行するノード装置２において、オフラインに移行する際に、現在の設定情報を退避エリアに保管する設定情報保管手段２２と、外部からの指示に応じ、設定情報保管手段２２により保管された設定情報を自身の設定情報として再設定する復旧手段２４とを備えた。【選択図】図３
2015079297.tif 000002
【特許請求の範囲】
【請求項１】
複数設けられることでシステムを構成し、エンジニアリング装置により設定情報が変更される際にオフラインに移行するノード装置において、
前記オフラインに移行する際に、現在の設定情報を退避エリアに保管する設定情報保管手段と、
外部からの指示に応じ、前記設定情報保管手段により保管された設定情報を自身の設定情報として再設定する復旧手段と
を備えたことを特徴とするノード装置。
【請求項２】
システムを構成するノード装置に対し、設定情報の変更を行うエンジニアリング装置において、
前記設定情報の変更を行う際に、対象の前記ノード装置の現在の設定情報をアップロードするアップロード手段と、
前記アップロード手段によりアップロードされた設定情報を、前記ノード装置ごとに退避エリアに保管する設定情報保管手段と、
前記設定情報の変更を行った後に問題が発生した場合に、前記設定情報保管手段に保管された設定情報を該当の前記ノード装置にダウンロードして再設定させる復旧手段と
を備えたことを特徴とするエンジニアリング装置。
【請求項３】
複数設けられることでシステムを構成し、エンジニアリング装置により設定情報が変更される際にオフラインに移行するノード装置によるシステム復旧方法において、
前記オフラインに移行する際に、現在の設定情報を退避エリアに保管する設定情報保管ステップと、
前記外部からの指示に応じ、前記設定情報保管ステップにおいて保管した設定情報を自身の設定情報として再設定する復旧ステップと
を有することを特徴とするシステム復旧方法。
【請求項４】
システムを構成するノード装置に対し、設定情報の変更を行うエンジニアリング装置によるシステム復旧方法において、
前記設定情報の変更を行う際に、対象の前記ノード装置の現在の設定情報をアップロードするアップロードステップと、
前記アップロードステップにおいてアップロードした設定情報を、前記ノード装置ごとに退避エリアに保管する設定情報保管ステップと、
前記設定情報の変更を行った後に問題が発生した場合に、前記設定情報保管ステップにおいて保管した設定情報を該当の前記ノード装置にダウンロードして再設定させる復旧ステップと
を有することを特徴とするシステム復旧方法。
【発明の詳細な説明】
【技術分野】
【０００１】
この発明は、システムの設定変更後に問題が発生した場合にシステムの復旧を行うノード装置、エンジニアリング装置およびシステム復旧方法に関するものである。
【背景技術】
【０００２】
複数のノード装置から構成されるシステムに対して現在の運用から設定変更を行う場合、各ノード装置の設定情報の整合を取って設定を行う必要があるが、間違いの起こりやすい作業となっている。
従来では、ノード装置ごとに設定情報を設定してシステムを立ち上げていたため、不整合により正常状態とならないことが非常に発生しやすい状況であった。一方、近年では、システム全体の情報を管理して整合を取ることが可能なエンジニアリングツールを用い、設定を行うようになっている。しかしながら、このエンジニアリングツールを用いても、不整合を完全に取り除くことは難しく、ノード装置間の不整合があったり、ノード装置への設定が不十分なことでシステムが立ち上がらないことがある。
【０００３】
そして、運用中のシステムに設定変更を行った後、システムが正常に立ち上がらない場合には早急にシステムの復旧を行う必要がある。そのため、通常は、変更前のノード装置の設定情報をバックアップして作業を行っている。
【先行技術文献】
【特許文献】
【０００４】
【特許文献１】特開２００５−２０２７７４号公報
【発明の概要】
【発明が解決しようとする課題】
【０００５】
従来、システムの設定変更を行う場合には、事前に、変更前のノード装置の設定情報をバックアップして作業を行っている。しかしながら、現場の作業員の能力、作業の緊急度などから、バックアップを完全な状態で取得できない場合もある。このような場合においてシステムが正常に立ち上がらなかった場合、システムの復旧の遅れが大きな問題となることがある。
一方、作業者が機器を交換した際に設定データを復元できるようにするため、バックアップを行う手法について知られている（例えば特許文献１参照）。しかしながら、この特許文献１に開示された手法では、システムの設定変更時にノード装置の設定情報をバックアップすることはできず、システムの設定変更後に問題が発生した場合にその不具合を回避することはできない。
【０００６】
この発明は、上記のような課題を解決するためになされたもので、システムの設定変更後に問題が発生した場合に、早期にシステムの復旧を行うことができるノード装置、エンジニアリング装置およびシステム復旧方法を提供することを目的としている。
【課題を解決するための手段】
【０００７】
この発明に係るノード装置は、複数設けられることでシステムを構成し、エンジニアリング装置により設定情報が変更される際にオフラインに移行するノード装置において、オフラインに移行する際に、現在の設定情報を退避エリアに保管する設定情報保管手段と、外部からの指示に応じ、設定情報保管手段により保管された設定情報を自身の設定情報として再設定する復旧手段とを備えたものである。
【０００８】
また、この発明に係るエンジニアリング装置は、システムを構成するノード装置に対し、設定情報の変更を行うエンジニアリング装置において、設定情報の変更を行う際に、対象のノード装置の現在の設定情報をアップロードするアップロード手段と、アップロード手段によりアップロードされた設定情報を、ノード装置ごとに退避エリアに保管する設定情報保管手段と、設定情報の変更を行った後に問題が発生した場合に、設定情報保管手段に保管された設定情報を該当のノード装置にダウンロードして再設定させる復旧手段とを備えたものである。
【０００９】
また、この発明に係るシステム復旧方法は、複数設けられることでシステムを構成し、エンジニアリング装置により設定情報が変更される際にオフラインに移行するノード装置によるシステム復旧方法において、オフラインに移行する際に、現在の設定情報を退避エリアに保管する設定情報保管ステップと、外部からの指示に応じ、設定情報保管ステップにおいて保管した設定情報を自身の設定情報として再設定する復旧ステップとを有するものである。
【００１０】
また、この発明に係るシステム復旧方法は、システムを構成するノード装置に対し、設定情報の変更を行うエンジニアリング装置によるシステム復旧方法において、設定情報の変更を行う際に、対象のノード装置の現在の設定情報をアップロードするアップロードステップと、アップロードステップにおいてアップロードした設定情報を、ノード装置ごとに退避エリアに保管する設定情報保管ステップと、設定情報の変更を行った後に問題が発生した場合に、設定情報保管ステップにおいて保管した設定情報を該当のノード装置にダウンロードして再設定させる復旧ステップとを有するものである。
【発明の効果】
【００１１】
この発明によれば、上記のように構成したので、システムの設定変更後に問題が発生した場合に、早期にシステムの復旧を行うことができる。
【図面の簡単な説明】
【００１２】
【図１】この発明の実施の形態１に係る施設監視システムの構成を示す図である。
【図２】この発明の実施の形態１に係るエンジニアリング装置の構成を示す図である。
【図３】この発明の実施の形態１に係るノード装置の構成を示す図である。
【図４】この発明の実施の形態１に係る施設監視システムの動作を示すフローチャートである。
【図５】この発明の実施の形態２に係るエンジニアリング装置の構成を示す図である。
【図６】この発明の実施の形態２に係るノード装置の構成を示す図である。
【図７】この発明の実施の形態２に係る施設監視システムの動作を示すフローチャートである。
【発明を実施するための形態】
【００１３】
以下、この発明の実施の形態について図面を参照しながら詳細に説明する。
実施の形態１．
実施の形態１では、ノード装置２にて自身の現在の設定情報を退避エリアに保管し、システムの設定変更後に問題が発生した場合にこの退避エリアに保管した設定情報を用いてシステムの復旧を行う場合について示す。
図１はこの発明の実施の形態１に係る施設監視システムの構成を示す図である。
施設監視システムは、図１に示すように、エンジニアリング装置１および複数のノード装置２から構成されている。
【００１４】
エンジニアリング装置１は、現在運用中のシステムを変更する際に、該当するノード装置２の設定情報の変更を行うものである。このエンジニアリング装置１は、図２に示すように、設定情報生成手段１１およびダウンロード手段１２から構成されている。
【００１５】
設定情報生成手段１１は、現在運用中のシステムを変更する際に、該当するノード装置２に対する設定情報を生成するものである。
ダウンロード手段１２は、設定情報生成手段１１により生成された設定情報を該当するノード装置２にダウンロードするものである。
【００１６】
ノード装置２は、複数設けられることでシステムを構成し、エンジニアリング装置１により設定情報が変更される際にオフラインに移行するものである。このノード装置２は、図３に示すように、設定情報受信手段２１、設定情報保管手段２２、情報設定手段２３、および復旧手段２４から構成されている。
【００１７】
設定情報受信手段２１は、エンジニアリング装置１のダウンロード手段１２からの設定情報を受信するものである。
設定情報保管手段２２は、設定情報受信手段２１により設定情報が受信されオフラインに移行する際に、自身の現在の設定情報を退避エリアに保管するものである。
【００１８】
情報設定手段２３は、オフラインに移行後、設定情報受信手段２１により受信された設定情報を、自身の設定情報として設定するものである。その後、ノード装置２は、オンラインに移行し、システムの立ち上げを行う。
復旧手段２４は、外部からの指示に応じ、設定情報保管手段２２により保管された設定情報を、自身の設定情報として再設定するものである。その後、ノード装置２は、オンラインに移行し、システムの立ち上げを行う。
【００１９】
次に、上記のように構成された施設監視システムによる動作について、図４を参照しながら説明する。
エンジニアリング装置１が現在運用中のシステムを変更する場合、図４に示すように、まず、設定情報生成手段１１は該当するノード装置２に対する設定情報を生成し、ダウンロード手段１２はこの設定情報を該当するノード装置２にダウンロードする（ステップＳＴ４０１，４０２）。
【００２０】
次いで、上記ノード装置２の設定情報受信手段２１は、ダウンロード手段１２からの設定情報を受信する（ステップＳＴ４０３）。その後、ノード装置２は、オフラインに移行する（ステップＳＴ４０４）。
【００２１】
次いで、設定情報保管手段２２は、自身の現在の設定情報を退避エリアに保管する（ステップＳＴ４０５、設定情報保管ステップ）。
次いで、情報設定手段２３は、設定情報受信手段２１により受信された設定情報を、自身の設定情報として設定する（ステップＳＴ４０６）。その後、ノード装置２は、オンラインに移行し、システムの立ち上げを行う（ステップＳＴ４０７）。
【００２２】
ここで、オンラインへの移行ができなかったり、システムの他のノード装置２との間に不整合が発生し、システムが正常状態とならなかった場合、作業者はノード装置２の所定のボタンを押下する、またはＷｅｂブラウザ等からノード装置２に対してシステム復旧指示を行う。
そして、該当ノード装置２の復旧手段２４は、上記システム復旧指示に応じ、設定情報保管手段２２により保管された設定情報を、自身の設定情報として再設定する（ステップＳＴ４０８，４０９、復旧ステップ）。その後、ノード装置２は、オンラインに移行し、システムの立ち上げを行う（ステップＳＴ４１０）。このように、システムの設定変更後に問題が発生した場合に、退避エリアにコピーした前回情報を設定情報として再設定させることで、システムを早期に立ち上げるが可能となる。
【００２３】
以上のように、この実施の形態１によれば、複数設けられることでシステムを構成し、エンジニアリング装置１により設定情報が変更される際にオフラインに移行するノード装置２において、オフラインに移行する際に、現在の設定情報を退避エリアに保管する設定情報保管手段２２と、外部からの指示に応じ、設定情報保管手段２２により保管された設定情報を自身の設定情報として再設定する復旧手段２４とを備えたので、システムの設定変更後に問題が発生した場合に、早期にシステムの復旧を行うことができる。よって、従来のように現場作業者によるバックアップ処理やシステムに問題が発生した場合のシステム復旧処理の負荷およびその作業時間を大幅に削減することができる。
【００２４】
なお、従来では、ノード装置２のコスト引き上げに繋がるため、設定情報の退避エリアを用意することは難しかったが、近年、メモリなどのコストが低くなってきたため、容易に実現可能である。
【００２５】
実施の形態２．
実施の形態２では、エンジニアリング装置１にてノード装置２の設定情報を退避エリアに保管し、システムの設定変更後に問題が発生した場合にこの退避エリアに保管した設定情報を該当ノード装置２にダウンロードしてシステムの復旧を行う場合について示す。
図５はこの発明の実施の形態２に係るエンジニアリング装置１の構成を示す図であり、図６はこの発明の実施の形態２に係るノード装置２の構成を示す図である。この図５に示す実施の形態２に係るエンジニアリング装置１は、図２に示す実施の形態１に係るエンジニアリング装置１に、アップロード手段１３、設定情報保管手段１４および復旧手段１５を追加したものである。また、図６に示す実施の形態２に係るノード装置２は、図３に示すノード装置２から設定情報保管手段２２および復旧手段２４を削除したものである。その他の構成は同様であり、同一の符号を付してその説明を省略する。
【００２６】
アップロード手段１３は、現在運用中のシステムを変更する際に、設定情報を変更するノード装置２の現在の設定情報をアップロードするものである。
設定情報保管手段１４は、アップロード手段１３によりアップロードされた設定情報を、ノード装置２ごとに退避エリアに保管するものである。
復旧手段１５は、システムの設定変更後に問題が発生した場合に、設定情報保管手段１４に保管された設定情報を該当ノード装置２にダウンロードして再設定させるものである。
【００２７】
次に、上記のように構成された施設監視システムによる動作について、図７を参照しながら説明する。
エンジニアリング装置１が現在運用中のシステムを変更する場合、図７に示すように、まず、設定情報生成手段１１は該当するノード装置２に対する設定情報を生成し、ダウンロード手段１２はこの設定情報を該当するノード装置２にダウンロードする（ステップＳＴ７０１，７０２）。
一方、アップロード手段１３は上記ノード装置２の現在の設定情報をアップロードし、設定情報保管手段１４はこの設定情報を退避エリアに保管する（ステップＳＴ７０３，７０４、アップロードステップ、設定情報保管ステップ）。
【００２８】
次いで、上記ノード装置２の設定情報受信手段２１は、ダウンロード手段１２からの設定情報を受信し、情報設定手段２３はこの設定情報を、自身の設定情報として設定する（ステップＳＴ７０５，７０６）。その後、システムの立ち上げを行う。
【００２９】
ここで、変更した設定情報においてシステムに問題が発生した場合、復旧手段１５は、設定情報保管手段１４に保管された設定情報を該当ノード装置２にダウンロードする（ステップＳＴ７０７，７０８、復旧ステップ）。そして、該当ノード装置２の設定情報受信手段２１は、復旧手段１５からの設定情報を受信し、情報設定手段２３はこの設定情報を、自身の設定情報として設定する（ステップＳＴ７０９，７１０）。その後、システムの立ち上げを行う。このように、システムの設定変更後に問題が発生した場合に、エンジニアリング装置１の退避エリアにコピーした前回情報を該当ノード装置２にダウンロードして設定情報として再設定させることで、システムを早期に立ち上げるが可能となる。
【００３０】
以上のように、この実施の形態２によれば、システムを構成するノード装置２に対し、設定情報の変更を行うエンジニアリング装置１において、設定情報の変更を行う際に、対象のノード装置２の現在の設定情報をアップロードするアップロード手段１３と、アップロード手段１３によりアップロードされた設定情報を、ノード装置２ごとに退避エリアに保管する設定情報保管手段１４と、設定情報の変更を行った後に問題が発生した場合に、設定情報保管手段１４に保管された設定情報を該当のノード装置２にダウンロードして再設定させる復旧手段１５とを備えたので、システムの設定変更後に問題が発生した場合に、早期にシステムの復旧を行うことができる。よって、従来のように現場作業者によるバックアップ処理やシステムに問題が発生した場合のシステム復旧処理の負荷およびその作業時間を大幅に削減することができる。
【００３１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３２】
１  エンジニアリング装置
２  ノード装置
１１  設定情報生成手段
１２  ダウンロード手段
１３  アップロード手段
１４  設定情報保管手段
１５  復旧手段
２１  設定情報受信手段
２２  設定情報保管手段
２３  情報設定手段
２４  復旧手段
【図１】
2015079297.tif 000003
【図２】
2015079297.tif 000004
【図３】
2015079297.tif 000005
【図４】
2015079297.tif 000006
【図５】
2015079297.tif 000007
【図６】
2015079297.tif 000008
【図７】
2015079297.tif 000009